(57)【要約】【課題】例えばペットが排泄した糞や溝内に落ちた落ち葉やゴミ等の落下物を容易に処理できるようにする落下物処理具の提供。【解決手段】先端に開閉可能な捕獲部３を有し、基端部には上記捕獲部３を開閉操作する開閉操作部４を有した落下物処理具１であって、上記捕獲部３と開閉操作部４を連結する連結部２を、落下している落下物の捕獲が起立姿勢で可能な長さに形成するとともに、該連結部２の長さ方向の中間部に、捕獲部３の向きを変更すべく屈曲する関節部１４，１５を設けた落下物処理具１。【選択図】    図１
2004147520.tif 000002
【特許請求の範囲】
【請求項１】
先端に開閉可能な捕獲部を有し、基端部には上記捕獲部を開閉操作する開閉操作部を有した落下物処理具であって、
上記捕獲部と開閉操作部を連結する連結部を、落下している落下物の捕獲が起立姿勢で可能な長さに形成するとともに、
該連結部の長さ方向の中間部に、捕獲部の向きを変更すべく屈曲する関節部を設けた
落下物処理具。
【請求項２】
前記関節部を少なくとも１つ設け、前記捕獲部を、連結部の基端側の長さ方向に対して横方向に向きを変更可能に形成した
請求項１に記載の落下物処理具。
【請求項３】
前記関節部を少なくとも２つ設け、前記捕獲部を、連結部の基端側の長さ方向に沿う折り返し方向に向きを変更可能に形成した
請求項１に記載の落下物処理具。
【請求項４】
前記連結部に、前記関節部での屈曲を可能とする屈曲機構を設けるとともに、該屈曲機構の屈曲動作を操作する屈曲操作部を、前記開閉操作部の近傍に形成した
請求項１から請求項３のうちのいずれか一項に記載の落下物処理具。
【請求項５】
前記屈曲機構を、回動力の入力を受けて回動する出力部と、前記関節部に設けた入力部と、これら出力部と入力部とを回動力伝達可能に連結する伝達部とを用いて形成した
請求項４に記載の落下物処理具。
【請求項６】
前記関節部を複数形成するとともに、
上記出力部と入力部を兼ねる関節部には、伝達された回転力を当該関節部では所定範囲において空回りさせる一方、それより先端側の関節部には伝達する差動機構を設けた
請求項５に記載の落下物処理具。
【発明の詳細な説明】
【０００１】
【発明の属する技術分野】
この発明は、例えばペットが排泄した糞や溝内に落ちた落ち葉やゴミ等の落下物（落下しているものも落下途中のものも含む）を容易に処理できるようにする落下物処理具に関する。
【０００２】
【従来の技術】
上述例の糞を処理する糞処理具は、糞を手で取らずに済むようにするもので、地面に落ちた糞を掴み取るもの（例えば特許文献１参照）や、地面に落下する前の糞を受け止めるもの（例えば特許文献２参照）、またはこれら両用のもの（例えば特許文献３、４参照）が存在する。
【０００３】
地面上の糞を掴み取るものは、長く形成した柄の先端に、手元の操作で開閉する捕獲部を有した構造である。この構造の糞処理具では、立ったまま糞を取ることができるので、取る動作は容易である。
【０００４】
しかし、掴めないような硬さの糞を取ることはできない。また、捕獲部が糞で汚れるのを防ぐために捕獲部には予め袋を掛けておくが、柄が長いため、上記袋を取り除くのにいちいち柄を持ち替えなければならない。
【０００５】
一方、落下前の糞を受け止める糞処理具は、長い柄の先端に糞を受ける袋等を有した構造であって、この糞処理具によれば、柔らかい糞でも確実に捕獲することができる。しかし、この糞処理具の場合も、柄が長いため、上記袋等を取り除くのにいちいち柄を持ち替えなければならない。
【０００６】
後者の掴み取り受け取り両用タイプの糞処理具には、掴み取りできるように開閉可能に構成した捕獲部を短い柄の先端に有したもの（特許文献３参照）があり、この糞処理具を使用する場合、作業者は糞に近づいて屈み、手首の向きを適宜変えて、糞を掴み取ったり受け取ったりする。しかし、糞に近づかなければならない上に屈まなければならないので、糞を取る動作は面倒である。
【０００７】
また、特許文献４のように長い柄の先端に上面が開口した袋を設け、この袋の口を手元の操作で引き絞り可能に構成した糞処理具もある。この糞処理具では、糞を受ける他、地面に落ちた糞を取ることもできる。すなわち、地面に落ちた糞に対して逆さにした袋を被せて、口を引き絞って糞を袋の中に入れる。しかし、この方法では、よほど硬い糞でない限りきれいに取り除くことはできない。またこの場合も、取った糞の処理には長い柄をもてあますことになる。
【０００８】
【特許文献１】
特開２０００−１５７０８５号
【特許文献２】
実開平４−２４４４２号
【特許文献３】
特開２０００−４７０７号
【特許文献４】
特開２００２−６５０９６号。
【０００９】
【発明が解決しようとする課題】
そこでこの発明は、地面に落ちた落下物でも落下途中の落下物でもいずれでも容易に、しかもきれいに取ることができるとともに、取った落下物の始末も容易に行えるようにすることを主たる課題とする。
【００１０】
【課題を解決するための手段】
そのための手段は、先端に開閉可能な捕獲部を有し、基端部には上記捕獲部を開閉操作する開閉操作部を有した落下物処理具であって、上記捕獲部と開閉操作部を連結する連結部を、落下している落下物の捕獲が起立姿勢で可能な長さに形成するとともに、該連結部の長さ方向の中間部に、捕獲部の向きを変更すべく屈曲する関節部を設けた落下物処理具であることを特徴とする。
【００１１】
すなわち落下物の処理に当たっては、基端部の開閉操作部を操作して、先端の捕獲部を開閉し、地面などの起立基端面やその近傍、例えば溝内に落ちた落下物を掴み取ったり、捕獲部を開いて待ち構え、落ちようとする落下物を受け取ったりして、落下物を捕獲する。このとき、また捕獲した落下物を処分するとき、連結部に設けた関節部で適宜屈曲を行い、捕獲部の向きを作業しやすいように変更する。
【００１２】
具体的には、関節部を少なくとも１つ設け、前記捕獲部を、連結部の基端側の長さ方向に対して横方向に向きを変更可能に形成するとよい。連結部の基端側を手に持ったときに、捕獲部が横に向くので、捕獲部の開閉側を上に向けることで、落ちる途中の落下物糞を受け取ることができる。
【００１３】
また関節部を少なくとも２つ設け、前記捕獲部を、連結部の基端側の長さ方向に沿う折り返し方向に向きを変更可能に形成するもよい。連結部の基端側に捕獲部が向くので、捕獲した落下物を処分するときに、連結部を持ち替えたりする必要がなく、簡単に落下物を処分できる。
【００１４】
上記屈曲の容易な実現のためには、前記連結部に、前記関節部での屈曲を可能とする屈曲機構を設けるとともに、該屈曲機構の屈曲動作を操作する屈曲操作部を、前記開閉操作部の近傍に形成するとよい。
【００１５】
落下物を捕獲するときに操作する開閉操作部の近傍で屈曲操作が行えるので、便利である。
【００１６】
なお、前記屈曲機構は、回動力の入力を受けて回動する出力部と、前記関節部に設けた入力部と、これら出力部と入力部とを回動力伝達可能に連結する伝達部とを用いて形成するとよい。
【００１７】
前記関節部を複数形成する場合には、上記出力部と入力部を兼ねる関節部に、伝達された回転力を当該関節部では所定範囲において空回りさせる一方、それより先端側の関節部には伝達する差動機構を設けるとよい。屈曲操作部を操作したときに、全ての関節部を同期して同様に屈曲させず、必要な関節部のみを選択的に屈曲し、連結部の必要な形態を得る。
【００１８】
【発明の効果】
以上のように、この発明によれば、落下物を捕獲する捕獲部は開閉する構造であるので、落下物の硬さにもよるが落ちた落下物の捕獲がほぼ確実に行える。また、落ちようとする落下物の捕獲も、捕獲部を開いて待ち構えることで確実に行える。しかも、捕獲部の開閉操作は、落下している落下物の捕獲が起立姿勢で可能な長さの連結部の基端部に形成した開閉操作部で行うので、落下物の捕獲に際していちいち屈む必要はなく、腰の痛いような人でも簡単に作業が行える。また落下物に近づく必要がないので、気持ちの上からも作業は簡単で、衛生的でもある。
【００１９】
その上、連結部には関節部を設けており、適宜屈曲することで、捕獲部の向きを変更できる。このため、上述のように落ちた落下物の捕獲も、落ちようとする落下物の捕獲も行える。
【００２０】
また捕獲した落下物の処分に際しては、捕獲部から落下物を取り除く必要があるが、このとき、関節部で屈曲を行って連結部を折り返すような形に屈曲することで、捕獲部を近くに寄せることができ、捕獲部に被せた袋の取り外しなどの作業が簡単に行える。
【００２１】
上記屈曲のための屈曲機構を、手元で操作できるように、開閉操作部の近傍に設けると、屈曲の操作まで容易に行え、落下物処理作業全体を容易化することができ、ひいては、特にペットの糞の放置をなくすことに貢献する。
【００２２】
また、関節部を複数形成した場合には、中間の関節部は、屈曲機構の出力部と入力部を兼ねることになるが、その関節部に、伝達された回転力を当該関節部では所定範囲において空回りさせる一方、それより先端側の関節部には伝達する差動機構を設けると、例えば捕獲部を連結部の基端部側に対して直角に向けようとする場合、２つの関節部が存在すれば、それぞれ４５度ずつ屈曲するもよいが、基端側の関節部を屈曲せずに先端の関節部のみを９０度屈曲するとよい。このように屈曲できるようにすることによって、無駄を無くし、所定の長さに形成した連結部の長さを充分に生かすことができる。
【００２３】
【発明の実施の形態】
この発明の一実施の形態を、以下図面を用いて説明する。
図１は、落下物処理具の一例として、ペットの糞を処理するように構成した落下物処理具１（以下、処理具という）の正面図、図２はその側面図であり、この処理具１は、棒のように長く形成された連結部２の先端に、糞を捕獲するための開閉可能な捕獲部３を設け、この捕獲部３を開閉操作する開閉操作部４を、連結部２の基端部に設けている。上記連結部２の長さは、起立姿勢で地面等の起立基面上の糞を捕獲可能な長さに設定する。
【００２４】
上記捕獲部３は、左右一対の箱状の捕獲部担体３ａで構成し、この捕獲部担体３ａは、内側の開口縁の端面同士を当接する閉じた状態と、内側の端面を離間した開いた状態とに開閉可能である。
【００２５】
開閉のため、各捕獲部担体３ａの上端部には枢着軸５を通し、上記連結部２の先端に枢着する。そして上記枢着軸５には、一方の捕獲部担体３ａを開いた時に他方の捕獲部担体３ａも回動するように、相互に噛合するギャ６を設けている。
【００２６】
また上記開閉を可能とするため、上記一方の捕獲部担体３ａには被牽引部７を形成し、この被牽引部７に操作ワイヤ８の先端を取り付ける。操作ワイヤ８を引っ張ることによって捕獲部担体３ａを牽引し、各捕獲部担体３ａに、上記枢着軸５を中心とした回動を行わせるように構成している。
【００２７】
さらに捕獲部担体３ａは、外側の上側面に、被せる袋９の端部を着脱可能に保持するための保持手段１０を設けている。この保持手段１０は、周知の適宜手段で構成するとよいが、図示例では、軟質の合成樹脂で形成されて厚み方向に貫通する切込みを有するとともに、切り込みの対向縁にギザギザの噛合部が形成された構成の保持手段を示している。この保持手段１０では、捕獲部３に掛けた袋９の端部の一部を押し込むだけで固定できる。また取り外すときには、引っ張るだけで簡単に取り外せる。
【００２８】
この他、例えば、ばねや合成樹脂の材料弾性や肉薄部を利用して押さえつける構成であるもよい。また手元で着脱操作できるように構成するもよい。
【００２９】
上記連結部２の基端部には、方形枠状のハンドル１１を形成する。そしてこのハンドル１１には、内側の空間部１２を横切るとともに両端部がハンドル１１上で上下方向に摺動する上記開閉操作部４を保持している。
【００３０】
ハンドル１１に保持した開閉操作部４の両端部は、引張コイルばねなどからなる付勢手段１３を介して下方に付勢して、開閉操作部４を上へ引き上げたときに上記操作ワイヤ８を牽引し、捕獲部３を開放できるようにしている。操作ワイヤ８の基端部は、開閉操作部４に連結する。
【００３１】
なお、付勢手段による付勢方向は、上述とは反対の方向であるもよく、また付勢手段を組み込む位置も、上述の位置のみに限定されない。
【００３２】
このようにハンドル１１位置での操作で先端の捕獲部３を開閉操作できるが、長尺の連結部２には、糞の捕獲動作を容易にし、また捕獲した糞の処分を容易にするため、連結部２の中間部に捕獲部３の向きを変更すべく屈曲する、関節部（第１関節部１４と第２関節部１５）を２つ形成するとともに、これら関節部１４，１５での屈曲を可能とする屈曲機構を設けている。上記２つの関節部１４，１５は、連結部２を略三等分する位置に形成する。
【００３３】
上記屈曲機構は、回動力の入力を受けて回動する出力部と、前記関節部に設けた入力部と、これら出力部と入力部とを回動力伝達可能に連結する伝達部とを用いて形成する。
【００３４】
すなわち、連結部２のハンドル１１近傍に、円筒状の出力部１６を設け、第１関節部１４には入力部であるとともに出力部でもある円筒状の入出力部１７を第１関節部１４の回転中心を中心にして回動可能に設け、第２関節部１５には、円筒状の入力部１８を第２関節部１５の回転中心を中心にして回動可能に設けている。そして、出力部１６と入出力部１７との間には、伝達手段として無端状の第１ベルト１９を張架して、入出力部１７と入力部１８との間には、同じく伝達部として第２ベルト２０を張架する。
【００３５】
また、上記入出力部１７を有する第１関節部１４には、伝達された回動力を当該第１関節部１４では空回りさせる一方、それより先端側の第２関節部１５には伝達する差動機構を設ける。
【００３６】
連結部２は、第１関節部１４と第２関節部１５とにより三分割されるが、上記ハンドル１１を形成した部分を基部２ａとして、上記第１関節部１４と第２関節部１５との間を第１枝部２ｂ、第２関節部１５から先を第２枝部２ｃとして以下説明をする。
【００３７】
上記基部２ａ、第１枝部２ｂ、第２枝部２ｃは、関節部１４，１５で左右２連結された骨組み構造で形成され、いずれも左右一対の部材からなり、これら左右一対の部材のうち少なくともいずれか一方の部材には、上記出力部１６、入出力部１７、入力部１８を挿嵌保持する回動軸を形成する。
【００３８】
上記出力部１６を回動可能に保持する出力回動軸２１は、図３に示したように左右一対の部材のうちの一方の部材に形成し、出力回動軸２１の周面における他方の部材側には、所定長さの割溝２２を周方向に沿って形成している。所定長さとは、この例においては後述する操作レバー２３を９０度回動させる長さである。
【００３９】
一方、他方の部材には、出力部１６の上記割溝対応側に被さり回動可能に保持する嵌合部２４を形成し、この嵌合部２４の周面に、上記割溝２２と同様に所定長さの規制溝２５を形成している。この規制溝２５は、図４の展開図に示すように、割溝２２と規制溝２５内を相対摺動する操作レバー２３の位置を規制するもので、３箇所に位置規制されるように２つの規制片２５ａを一側に形成している。この規制溝２５と割溝２２は、操作レバー２３が横へ変位可能なように、操作レバー２３の径よりも若干大き目に設定している。またこの例で割溝２２は、操作レバー２３を９０度回動させる長さであるので、上記３箇所とは、０度の位置と４５度の位置と、９０度の位置に設定する。
【００４０】
出力部１６には、上記割溝２２および規制溝２５と対応する位置に、横なが長円形の貫通孔２６を形成し、この貫通孔２６と割溝２２を通して、上記操作レバー２３を回動中心に向けて差し込めるようにしている。回動中心には、左右一対の部材を連結する軸部材２７を保持して、上記操作レバー２３の先端部を固定する。操作レバー２３の先端部には雄ねじ２３ａを形成し、軸部材２７には雌ねじ２７ａを形成して、螺合による固定を行う。
【００４１】
軸部材２７による保持に際しては、操作レバー２３が３箇所に規制されるように付勢すべく圧縮コイルばね２８を介装するとよい。
【００４２】
図中２９は、軸部材２７を固定するためのナットである。
【００４３】
このような出力部１６を有する基部２ａの先端には、第１枝部２ｂを回動可能に保持する保持軸部３０を形成する。
【００４４】
この保持軸部３０により回動可能に保持される第１枝部２ｂは、左右一対の部材のうちの一方の部材に入出力回動軸３１を形成し、この入出力回動軸３１に、入出力部１７を回動可能に挿嵌保持する。
【００４５】
基部２ａと第１枝部２ｂとの連結は、上述と同様に軸部材３２を挿通して行う。
【００４６】
このとき、入出力回動軸３１と入出力部１７との間には、差動機構を設ける。すなわち、入出力部１７には周方向に沿って所定長さのスライド溝３３を形成し入出力回動軸３１におけるスライド溝３３対応位置には、貫通孔３４を形成してピン３５を固定する。ピン３５の固定は、第１関節部１４を構成する上記軸部材３２に対して螺合して固定する。
【００４７】
このような差動機構を構成すると、ピン３５が入出力部１７のスライド溝３３内における回動方向先端に位置する場合には、入出力部１７が回動してもピン３５はスライド溝３３内を相対摺動して空回り状態となるが、ピン３５がスライド溝３３における回動方向後端に位置したときには、入出力回動軸３１にも回動力が伝達され、第１枝部２ｂが動く。
【００４８】
この第１枝部２ｂの先端部は、第２枝部２ｃの基端部によって挟まれた状態で回動可能に保持される。
【００４９】
第２関節部１５は、上記差動機構がないだけで、第１関節部１４と同様の構成である。すなわち、第１枝部２ｂの先端には、入力回動軸３６を設け、この入力回動軸３６に入力部１８を回動可能に挿嵌保持している。第２枝部２ｃは、第１枝部２ｂの先端を両側から挟んで回動可能に保持すべく、保持軸部３７を設けている。連結は軸部材３８によって行う。図中３９はナットである。
【００５０】
なお、図示はしないが、上記出力部１６、入出力部１７、および入力部１８の外周面と、これらに対応する第１ベルト１９および第２ベルト２０の内側面には凹凸やギザギザのすべり止めや相互に噛み合う噛合構造を形成するとよい。またベルトに代えてチェーン等で形成するもよい。
【００５１】
上述のような構成の処理具１では、操作レバー２３を上記０度の位置にした時に、図５（ａ）に示した如く、第１枝部２ｂおよび第２枝部２ｃが伸びた状態となり、第１関節部１４においては、入出力部１７のスライド溝３３内の正の回動方向（０度の位置から９０度の位置方向）の先端部にピン３５が位置するように設定しておく。また上記出力部１６の直径と、入出力部１７および入力部１８の直径の比を２対１に設定しておく。
【００５２】
操作レバー２３が０度の位置にある上記状態から、操作レバー２３を回動して４５度の位置にすると、出力部１６が回動して第１ベルト１９を介して、入出力部１７を回動する。入出力部１７が回動しても、入出力部１７にはスライド溝３３が形成されているので、ピン３５はスライド溝３３内を相対摺動する（空回りする）のみで、第１枝部２ｂは回動しない。このときピン３５はスライド溝３３における正の回動方向後端に位置する。しかし、入出力部１７は回動するので、第２ベルト２０を介して、第２関節部１５の入力部１８は回動し、第２枝部２ｃが横方向に屈曲する。上述のように上記出力部１６の直径と、入出力部１７および入力部１８の直径の比を２対１に設定しているので、図５（ｂ）に示した如く、上記操作で、第２枝部２ｃの９０度の屈曲が得られ、捕獲部３が横に向いた状態となる。
【００５３】
続いて、操作レバー２３を９０度の位置に回動すると、第１関節部１４の入出力部１７におけるスライド溝３３における正の回動方向後端に位置したピン３５が、出力部１６の回動に伴う入出力部１７の回動で押され、入出力部１７とともに第１枝部２ｂが回動し、９０度の屈曲が得られる。するとＵ字型になって捕獲部３が折り返し方向に向いた状態となる（図５（ｃ））。
【００５４】
上記状態から操作レバーを４５度の位置に戻せば、出力部１６から入出力部１７、入出力部１７からピン３５を介して第１枝部２ｂへと回動力が伝わり、図５（ｄ）に示した如く連結部２は上記（ｂ）と同じ形態なる。このとき、第１関節部１４のピン３５は、スライド溝３３の正の回動方向先端に位置する。
【００５５】
操作レバーを０度の位置に戻すと、出力部１６から入出力部１７、入出力部１７から入力部１８へと負の回動力が伝わり、図５（ａ）の状態に戻る。
【００５６】
このように構成した処理具１では、捕獲部に適宜の袋９を掛けて使用する。地面上の糞を取る時には、図６に示したように、操作レバー２３を０度の位置に設定して、連結部２を伸ばした状態にして使用する。
【００５７】
また、落下する糞を捕らえることに間に合った場合や糞が柔らかい場合には、図７に示したように、操作レバー２３を４５度の位置に設定して、捕獲部３を横に向けた状態にする。そして、ハンドル１１を持って斜めに差し出して、捕獲部３をペットの臀部の下に構え、開閉操作部４を握って捕獲部３を開放することによって、落下する糞を捕獲することができる。このとき、第１関節部１４は屈曲せずに伸びた状態であるので、連結部２を長く使うことができる。すなわち、糞からの距離を取ることができ、連結部２の長さを生かすことができる。
【００５８】
捕獲した糞を処分するときには、図８に示したように、操作レバー２３を９０度の位置に回動してＵ字形に曲げ、捕獲部３をハンドル１１に近づければよい。袋９を捕獲部から外せば、処理が行える。袋の取り外しは、上述のような保持手段１０で構成しているので、作業は簡単である。
【００５９】
上述のようにペットの糞を捕獲する作業は、落ちたものを捕獲することも、落ちるものを捕らえることも、容易に行える。しかも、捕獲に際して都合の良い形に連結部２を変形できるので、作業は極めて容易なものとなる。
【００６０】
また捕獲した糞の処分も、第１関節部１４と第２関節部１５で９０度ずつ同一方向に屈曲することで、捕獲部３をハンドル１１に近付けることができ、捕獲部３に被せた袋９の取り外しなどの作業も簡単である。
【００６１】
しかもその屈曲のための操作は、ハンドル１１近傍で行えるので、操作は大変容易である。
【００６２】
上述の構成のうち、入出力部１７は、この発明の入力部と出力部に対応し、  第１ベルト１９と第２ベルト２０は、伝達部に対応し、
ペット用糞処理具１は、落下物処理具に対応し、
スライド溝３３、貫通孔３４、ピン３５が差動機構を構成するも、
この発明は上記構成のみに限定されるものではない。
【００６３】
例えば、落下物処理具をゴミ等の清掃用とするには、先端の捕獲部３を、箱状ではなく、平板状またはギザギザの挟持面を有した捕獲部で構成するもよく、前記保持手段１０を設けずともよい。このときには連結部２の長さを、起立基面（地面）より下の溝内の落下物部も起立姿勢で拾える長さに設定する。
【００６４】
また、関節部は２つではなく３つ、４つと形成するもよい。さらに屈曲を手動で行うように、例えば菊座を用いるなどして構成した間接部を形成するもよい。この場合には連結部２の長さを調整可能に構成することも容易である。
【図面の簡単な説明】
【図１】落下物処理具の正面図。
【図２】落下物処理具の側面図。
【図３】要部の構造説明図。
【図４】部分拡大展開図。
【図５】作用状態の説明図。
【図６】使用状態の正面図。
【図７】使用状態の正面図。
【図８】使用状態の正面図。
【符号の説明】
１…落下物処理具
２…連結部
３…捕獲部
４…開閉操作部
１４…第１関節部
１５…第２関節部
１６…出力部
１７…入出力部
１８…入力部
１９…第１ベルト
２０…第２ベルト
３３…スライド溝
３４…貫通孔
３５…ピン
【図１】
2004147520.tif 000003
【図２】
2004147520.tif 000004
【図３】
2004147520.tif 000005
【図４】
2004147520.tif 000006
【図５】
2004147520.tif 000007
【図６】
2004147520.tif 000008
【図７】
2004147520.tif 000009
【図８】
2004147520.tif 000010